(57)【要約】【課題】ジャックに加えて、ウィッペンの軽量化を図ることができ、それにより、連打性を向上させることができるグランドピアノのアクションを提供する。【解決手段】グランドピアノのアクション１であって、合成樹脂の成形品から成り、押鍵された鍵２で突き上げられることにより上方に回動するウィッペン４と、これに回動自在に取り付けられ、ウィッペン４の回動に伴い、ハンマー３を突き上げ、上方に回動させるジャック６と、ウィッペン４に設けられ、ジャック６の角度位置を調整するためのジャック角度位置調整機構２０と、を備え、ジャック角度位置調整機構２０は、ウィッペン４と一体に成形された支持部２４と、これに前後方向に進退自在に螺合する調整スクリュー２５と、その端部に設けられ、ジャック６に当接することにより、ジャック６の角度位置を規定するジャックボタン２６と、を有している。【選択図】図１
2019174593.tif 000002
【特許請求の範囲】
【請求項１】
鍵の押鍵に伴って作動することにより、ハンマーを回動させるグランドピアノのアクションであって、
合成樹脂の成形品から成り、押鍵された前記鍵で突き上げられることにより上方に回動するウィッペンと、
このウィッペンに回動自在に取り付けられ、当該ウィッペンの回動に伴い、前記ハンマーを突き上げ、上方に回動させるジャックと、
前記ウィッペンに設けられ、前記ジャックの角度位置を調整するためのジャック角度位置調整機構と、
を備え、
前記ジャック角度位置調整機構は、
前記ウィッペンと一体に成形された支持部と、
前後方向に所定長さ延び、前記支持部に前後方向に進退自在に螺合する調整スクリューと、
この調整スクリューの前記ジャック側の端部に設けられ、当該ジャックに当接することにより、当該ジャックの角度位置を規定する当接部と、
を有していることを特徴とするグランドピアノのアクション。
【請求項２】
前記ウィッペンは、上方に所定長さ延び、前記ハンマーが載置されるレペティションレバーを上端部において回動自在に支持するレバーフレンジ部を有しており、
前記支持部は、
前記ウィッペンの前記レバーフレンジ部から前記ジャックに向かって互いに平行に延びる一対の延設部と、
これら一対の延設部の先端部に設けられ、前記調整スクリューが前記一対の延設部の間においてそれらの長さ方向にほぼ沿うように延びた状態で螺合するねじ孔を有する調整スクリュー係合部と、
を有していることを特徴とする請求項１に記載のグランドピアノのアクション。
【請求項３】
前記当接部は、前記調整スクリューの前記ジャック側の端部が外部に臨んだ状態で、当該端部に取り付けられており、
前記当接部が当接する前記ジャックの部位には、所定の工具を前方から貫通可能に形成され、前記調整スクリューの前記端部を前記工具によって回転操作するための操作孔が設けられていることを特徴とする請求項１又は２に記載のグランドピアノのアクション。
【発明の詳細な説明】
【技術分野】
【０００１】
本発明は、鍵の押鍵に伴って作動することにより、ハンマーを回動させるグランドピアノのアクションに関し、特に、ウィッペンに回動自在に支持されたジャックの角度位置を調整するための構造に関する。
【背景技術】
【０００２】
一般に、グランドピアノのアクションは、前後方向に延びる鍵の後部に載置された回動自在のウィッペンと、ウィッペンに回動自在に取り付けられたレペティションレバー及びジャックと、これらを復帰方向に付勢するレペティションスプリングなどを備えている。ウィッペンは、前後方向に延びる本体部と、その中央部から上方に延びるレバーフレンジ部と、中央部から下方に突出するヒール部などで構成されている。レペティションレバーは、前後方向に延びており、その中央部がウィッペンのレバーフレンジ部の上端部に回動自在に支持されている。また、レペティションレバーの前端部には、上下方向に貫通するジャック案内孔が形成されている。ジャックは、基部と、この基部から上方に延びるハンマー突上げ部と、基部から前方に延びるレギュレーティングボタン当接部とによって、Ｌ字状に形成されており、ウィッペンの前端部に、ジャックの基部が回動自在に支持されている。
【０００３】
また、ハンマーは、前後方向に延びるハンマーシャンクと、その後端部に一体に設けられたハンマーヘッドで構成されている。ハンマーシャンクの前端部は、ハンマーシャンクフレンジに回動自在に支持され、その直ぐ後側の下面に、シャンクローラが設けられている。離鍵状態において、シャンクローラは、レペティションレバーのジャック案内孔の縁部に載置され、シャンクローラの直ぐ下側にジャックのハンマー突上げ部の先端が位置している。
【０００４】
以上のように構成されたアクションには、通常、押鍵に伴う作動によって、押鍵時の力をハンマーに効率良く伝達するために、ジャックの角度位置を調整する調整機構が設けられている。具体的には、この調整機構は、ジャックのハンマー突上げ部の中央部において前後方向に貫通した状態でねじ込まれたジャックボタンスクリューと、その後端部に取り付けられたジャックボタンと、ウィッペンの本体部の上面に突設され、ジャックボタンが当接するスプーンとで構成されている。この調整機構では、ジャックボタンスクリューを回すことによって、それと一体のジャックボタンを前後方向に進退させ、それにより、ジャックとジャックボタンが当接するスプーンとの距離が変わることで、離鍵状態におけるジャックの角度位置が調整される。
【０００５】
しかし、上記のアクションでは、調整機構のジャックボタンスクリュー及びジャックボタンがジャックに取り付けられているため、その分、ジャック全体の重量が増加し、ジャックが回動する際の慣性力が大きくなってしまう。このため、ジャックがハンマーを突き上げた後、元の位置に戻るまでに要する時間を短くするのに一定の限界があり、その結果、同一の鍵を連続して押鍵する際の連打性を十分に得ることができないことがある。そこで、ジャックの重量の軽減を図るためのアクションとして、例えば特許文献１に記載されたものが知られている。
【０００６】
この特許文献１のアクションでは、ジャックの角度位置の調整機構がウィッペンにのみ設けられている。具体的には、ウィッペンの前部の所定位置に立設され、上端部がジャック側に屈曲した金属棒から成るストップスクリューと、このストップスクリューの先端部に螺合した状態で取り付けられたストップボタンと、このストップボタンのジャック側に接着され、ジャックが当接する緩衝用のボタンフェルトなどを備えている。そして、ストップボタンを回転させながら前後方向に移動させることにより、ジャックがボタンフェルトに当接する位置を調整し、それにより、ジャックの角度位置が調整される。
【先行技術文献】
【特許文献】
【０００７】
【特許文献１】特許４８５１０３３号公報
【発明の概要】
【発明が解決しようとする課題】
【０００８】
上記のアクションでは、ジャックの角度位置の調整機構の全てがウィッペンに設けられる一方、ジャックには調整機構が何ら設けられないため、前述した一般的なアクションのジャックに比べて、その軽量化を図ることが可能である。しかし、上記のアクションでは、調整機構として、金属棒から成るストップスクリューを、ウィッペンの前部に立設している。このストップスクリューには、ハンマーを突き上げたジャックがボタンフェルトに当接したときに、比較的大きな荷重がかかるため、その荷重をしっかりと受け止めることができるよう、十分な強度が求められる。そのため、ストップスクリューとして強度が高い材料を使用すると、ストップスクリュー自体の重量が重くなり、その分、ウィッペン全体の重量が重くなってしまう。この場合、ウィッペンが回動する際の慣性力が大きくなることで、ジャックの重量が重かった場合と同様、連打性を十分に得られなくなるおそれがある。
【０００９】
本発明は、以上のような課題を解決するためになされたものであり、ジャックに加えて、ウィッペンの軽量化を図ることができ、それにより、連打性を向上させることができるグランドピアノのアクションを提供することを目的とする。
【課題を解決するための手段】
【００１０】
上記の目的を達成するために、請求項１に係る発明は、鍵の押鍵に伴って作動することにより、ハンマーを回動させるグランドピアノのアクションであって、合成樹脂の成形品から成り、押鍵された鍵で突き上げられることにより上方に回動するウィッペンと、このウィッペンに回動自在に取り付けられ、ウィッペンの回動に伴い、ハンマーを突き上げ、上方に回動させるジャックと、ウィッペンに設けられ、ジャックの角度位置を調整するためのジャック角度位置調整機構と、を備え、ジャック角度位置調整機構は、ウィッペンと一体に成形された支持部と、前後方向に所定長さ延び、支持部に前後方向に進退自在に螺合する調整スクリューと、この調整スクリューのジャック側の端部に設けられ、ジャックに当接することにより、ジャックの角度位置を規定する当接部と、を有していることを特徴とする。
【００１１】
この構成によれば、ウィッペンが合成樹脂の成形品から成り、このウィッペンに、ジャックが回動自在に取り付けられるとともに、ジャック角度位置調整機構が設けられている。つまり、ジャック自体には、その角度位置を調整する調整機構を設けていないので、ジャックの軽量化を維持することができる。また、ウィッペンに設けられたジャック角度位置調整機構において、支持部に螺合する調整スクリューを回すことにより、その調整スクリューのジャック側の端部に設けられた当接部が調整スクリューと一体に前後方向に進退し、その当接部に当接するジャックの角度位置を容易に調整することができる。上記のジャック角度位置調整機構では、調整スクリューが螺合する支持部がウィッペンと一体に成形されているので、ウィッペンに金属棒から成るストップスクリューを立設した従来に比べて、ウィッペン全体の軽量化を図ることができる。以上のように、本発明によれば、ジャックに加えて、ウィッペンの軽量化を図ることができ、それにより、連打性を向上させることができる。
【００１２】
請求項２に係る発明は、請求項１に記載のグランドピアノのアクションにおいて、ウィッペンは、上方に所定長さ延び、ハンマーが載置されるレペティションレバーを上端部において回動自在に支持するレバーフレンジ部を有しており、支持部は、ウィッペンのレバーフレンジ部からジャックに向かって互いに平行に延びる一対の延設部と、これら一対の延設部の先端部に設けられ、調整スクリューが一対の延設部の間においてそれらの長さ方向にほぼ沿うように延びた状態で螺合するねじ孔を有する調整スクリュー係合部と、を有していることを特徴とする。
【００１３】
この構成によれば、ウィッペンが上方に所定長さ延びるレバーフレンジ部を有しており、このレバーフレンジ部の上端部に、ハンマーを載置するレペティションレバーが回動自在に支持されている。また、ジャック角度位置調整機構の支持部は、上記のレバーフレンジ部からジャックに向かって互いに平行に延びる一対の延設部と、これらの先端部に設けられた調整スクリュー係合部とを有している。この調整スクリュー係合部には、調整スクリューが一対の延設部の間において、それらの長さ方向にほぼ沿うように延びた状態で螺合するねじ孔が設けられている。これにより、ハンマーを突き上げたジャックが調整スクリューの端部に設けられた当接部に当接した場合、その荷重を、互いにほぼ直線状に延びる調整スクリュー及び一対の延設部を介して、ウィッペンの比較的強固に作製されているレバーフレンジ部でしっかりと受け止めることができる。したがって、ジャック角度位置調整機構の支持部を上記のように構成することにより、強度の向上及び重量の軽減を両立するジャック角度位置調整機構を得ることができる。
【００１４】
請求項３に係る発明は、請求項１又は２に記載のグランドピアノのアクションにおいて、当接部は、調整スクリューのジャック側の端部が外部に臨んだ状態で、端部に取り付けられており、当接部が当接するジャックの部位には、所定の工具を前方から貫通可能に形成され、調整スクリューの端部を工具によって回転操作するための操作孔が設けられていることを特徴とする。
【００１５】
この構成によれば、調整スクリューのジャック側の端部には、その端部が外部に臨んだ状態で、当接部が取り付けられている。また、その当接部が当接するジャックの部位には、所定の工具を前方から貫通可能な操作孔が設けられている。したがって、その工具を、操作孔に前方から貫通させ、調整スクリューの端部を回転操作、すなわち、その端部に工具を係合させた状態で、調整スクリューを回転操作することができる。このように、ジャックの前方から、工具を用いて、調整スクリューを回転操作できるので、調整スクリューを回すことによるジャックの角度位置の調整を容易に行うことができる。
【図面の簡単な説明】
【００１６】
【図１】（ａ）は、本発明の一実施形態によるグランドピアノのアクションを含む鍵盤装置の側面図、（ｂ）は、ジャック角度位置調整機構及びその周囲を拡大して示す斜視図である。
【図２】ジャックボタン及び調整スクリューを示す斜視図である。
【図３】ジャックボタンがジャックに当接している部分を、ジャックの前方から見たときの状態を拡大して示す図である。
【図４】調整スクリューを回転操作することによるジャックの調整を説明するための図であり、（ａ）は調整前の状態、（ｂ）は調整後の状態を示している。
【発明を実施するための形態】
【００１７】
以下、図面を参照しながら、本発明の好ましい実施形態を詳細に説明する。図１（ａ）は、本発明の一実施形態によるグランドピアノのアクションを示している。このアクション１は、鍵２の押鍵に伴って作動することにより、ハンマー３を上方に回動させるものであり、そのハンマー３による弦Ｓの打弦によって、ピアノ音が発生する。
【００１８】
図１（ａ）に示すように、このアクション１は、前後方向（図１（ａ）の左右方向）に延びる鍵２の支点（図示せず）よりも後方（図１（ａ）の左方）でかつ鍵２の上方に配置されており、後端部（図１（ａ）の左端部）を中心として回動自在のウィッペン４と、ウィッペン４に回動自在に取り付けられたレペティションレバー５及びジャック６と、両者５、６を復帰方向（図１（ａ）の反時計方向）に付勢するレペティションスプリング７とを備えている。また、レペティションレバー５及びジャック６の上方への移動をそれぞれ規制するドロップスクリュー８及びレギュレーティングボタン９などが、アクション１ごとに設けられている。
【００１９】
このアクション１は、鍵２を載置する筬（図示せず）の左右端部にそれぞれ設けられたブラケット１１、１１（図１（ａ）に一方のみ図示）間に配置されている。左右のブラケット１１、１１間には、左右方向に延びるウィッペンレール１２が渡されており、このウィッペンレール１２にねじ止めされたウィッペンフレンジ１３に、ウィッペン４の後端部が回動自在に取り付けられている。
【００２０】
ウィッペン４は、ＡＢＳなどの耐衝撃性に優れた合成樹脂の成形品で構成されている。このウィッペン４は、前後方向に延びる本体部２１と、その中央部から上方に所定長さ延びるレバーフレンジ部２２と、中央部から下方に突出するヒール部２３と、後述するジャック角度位置調整機構２０のジャックボタンスクリュー２６を支持する支持部２４などを有しており、ヒール部２３を介して、鍵２のキャプスタンスクリュー２ａに載置されている。また、このウィッペン４では、本体部２１の前端部及びレバーフレンジ部２２の上半部が左右に二股状に形成されている。
【００２１】
レペティションレバー５は、斜め前上がりに前後方向に延びており、その中央部で、ウィッペン４のレバーフレンジ部２２の上端部の内側に回動自在に取り付けられている。レペティションレバー５の前部の所定位置には、上下方向に貫通し、前後方向に所定長さ延びるジャック案内孔５ａが形成されている。
【００２２】
ジャック６は、基部６ａと、この基部６ａから上方に延びるハンマー突上げ部６ｂと、基部６ａから前方に延びるレギュレーティングボタン当接部６ｃとにより、側面形状がＬ字状に形成されており、基部６ａにおいて、ウィッペン４の本体部２１の前端部の内側に回動自在に取り付けられている。ハンマー突上げ部６ｂの上端部は、レペティションレバー５のジャック案内孔５ａに、下方から挿入した状態で、前後方向に移動自在に係合するとともに、離鍵状態において、ハンマー３の後述するシャンクローラ３３と微小な間隔を存して対向している。また、ハンマー突上げ部６ｂには、ジャック角度位置調整機構２０の後述する調整スクリュー２５を前方から操作する際に、所定の工具Ｔ（図４（ａ）参照）が貫通可能な操作孔６ｄが形成されている。
【００２３】
また、ウィッペン４には、ジャック６の角度位置を調整するためのジャック角度位置調整機構２０が設けられている。このジャック角度位置調整機構２０は、ウィッペン４と一体の前記支持部２４と、この支持部２４に前後方向に進退自在に螺合する調整スクリュー２５と、調整スクリュー２５の前端部に設けられ、ジャック６のハンマー突上げ部６ｂに当接するジャックボタン２６と有している。
【００２４】
図１（ｂ）に示すように、支持部２４は、ウィッペン４の二股状のレバーフレンジ部２２、２２の前面からジャック６に向かって互いに平行に所定長さ延びる左右一対の延設部２４ａ、２４ａと、これらの先端に連なり、所定の厚さを有する板状に形成された調整スクリュー係合部２４ｂとを有している。この調整スクリュー係合部２４ｂは、ジャック６側から見たときの状態が矩形状に形成され、中央部にねじ孔が形成されている。
【００２５】
図２は、調整スクリュー２５及びジャックボタン２６を示している。同図に示すように、調整スクリュー２５は、所定の径及び長さを有する金属棒から成り、先端部には、扁平に形成された操作部２５ａが設けられている。この操作部２５ａは、調整スクリュー２５を回す際に操作される部位である。また、調整スクリュー２５の先端部には、操作部２５ａを覆った状態で、ジャックボタン２６が固定され、調整スクリュー２５のジャックボタン２６よりも後側には、調整スクリュー係合部２４ｂのねじ孔に螺合する雄ねじが形成されている。
【００２６】
ジャックボタン２６は、調整スクリュー２５が貫通した状態でこれに取り付けられたボタン本体部２６ａと、このボタン本体部２６ａの前面に接着された円筒状のクッション部２６ｂとで構成されている。ボタン本体部２６ａは、所定の合成樹脂（例えばＡＢＳ樹脂）で構成され、所定の外径及び長さを有する円柱状に形成されている。一方、クッション部２６ｂは、フェルトなどによって肉厚円筒状に形成されており、ボタン本体部２６ａと同じ外径を有するとともに、調整スクリュー２５の操作部２５ａの径方向の長さよりも大きい内径を有している。
【００２７】
また、クッション部２６ｂは、調整スクリュー２５の操作部２５ａの軸方向の長さよりも長く形成されている。したがって、ジャックボタン２６がジャック６のハンマー突上げ部６ｂに当接した状態では、クッション部２６ｂのみが当接し、調整スクリュー２５の操作部２５ａがハンマー突上げ部６ｂに当たることはない。また、この場合、図３に示すように、調整スクリュー２５の操作部２５ａが、ハンマー突上げ部６ｂの操作孔６ｄを介して、前方に臨んでおり、したがって、後述するように、工具Ｔを用いて、ジャック６の前方から調整スクリュー２５を回転操作できるようになっている。
【００２８】
ここで、図４を参照して、調整スクリュー２５の回転操作によるジャックの角度位置の調整方法について簡単に説明する。この調整の際には、例えば、図４（ａ）に示すように、調整スクリュー２５の操作部２５ａに係合可能なスリット部Ｔｓを有する工具Ｔを用いる。まず、工具Ｔのスリット部Ｔｓを、ジャック６の前方から操作孔６ｄに挿入し、調整スクリュー２５の操作部２５ａに係合させる。そして、工具Ｔを回すことにより、調整スクリュー２５を回転させ、調整スクリュー係合部２４ｂに対して前後方向に進退させる。
【００２９】
図４（ｂ）は、調整スクリュー２５を調整スクリュー係合部２４ｂにねじ込むことにより、ジャックボタン２６を後方に若干移動させた状態を示している。この場合、ジャック６は、同図（ａ）の調整前の状態に対し、反時計方向に若干回動し、ハンマー突上げ部６ｂが、ハンマー３の後述するシャンクローラ３３を適切に突上げ可能な位置に調整される。
【００３０】
図１（ａ）に示すように、ハンマー３は、前後方向に延びるハンマーシャンク３１と、その先端（後端）に取り付けられたハンマーヘッド３２と、ハンマーシャンク３１の下面前部の所定位置に取り付けられたシャンクローラ３３などで構成されている。また、ハンマー３は、ハンマーシャンク３１の基端部において、ハンマーシャンクレール３４にねじ止めされたハンマーシャンクフレンジ３５に回動自在に取り付けられている。シャンクローラ３３は、例えば内側のクロスとその外側に巻いたスキンとから円柱状に形成されており、レペティションレバー５の上面のジャック案内孔５ａ付近に、これを跨いだ状態で載置されている。
【００３１】
次に、上記構成のアクション１の動作を、図１を参照しながら説明する。図１（ａ）に示す離鍵状態から鍵２が押鍵されると、ウィッペン４がキャプスタンスクリュー２ａを介して突き上げられることで上方に回動し、レペティションレバー５及びジャック６がウィッペン４と一緒に上方に移動する。これらの移動に伴い、まず、レペティションレバー５がシャンクローラ３３を摺動させながらこれを介してハンマー３を押し上げ、上方に回動させる。次いで、レペティションレバー５がドロップスクリュー８に下方から当接することにより、その回動が阻止されることで、ジャック６がシャンクローラ３３を介してハンマー３を突き上げる。その後、ハンマー３が、上方に水平に張られた弦Ｓを打弦する直前まで回動した時点で、ジャック６が、レギュレーティングボタン当接部６ｃを介してレギュレーティングボタン９に当接し、その回動が阻止されることによって、シャンクローラ３３から離れる。これにより、ハンマー３は、アクション１及び鍵２との連係が解かれ、自由回動の状態で弦Ｓを打弦する。
【００３２】
また、打弦後、鍵２が離鍵されると、ハンマー３及びウィッペン４は自重によって、レペティションレバー５及びジャック６はレペティションスプリング７のばね力によって、押鍵時とは逆方向にそれぞれ復帰回動する。またこの場合、ジャック６は、ジャック角度位置調整機構２０のジャックボタン２６に当接することにより、離鍵状態に復帰する。
【００３３】
以上詳述したように、本実施形態によれば、ジャック角度位置調整機構２０がウィッペン４に設けられており、ジャック６自体には、その角度位置を調整する調整機構を設けていないので、ジャック６の軽量化を維持することができる。また、ウィッペン４に設けられた支持部２４に螺合する調整スクリュー２５を回すことにより、ジャックボタン２６が調整スクリュー２５と一体に前後方向に進退し、ジャックボタン２６に当接するジャック６の角度位置を容易に調整することができる。さらに、ジャック角度位置調整機構２０では、調整スクリュー２５が螺合する支持部２４が、ウィッペン４と一体に成形されているので、従来に比べて、ウィッペン４全体の軽量化を図ることができる。以上のように、本実施形態によれば、ジャック６に加えて、ウィッペン４の軽量化を図ることができ、それにより、連打性を向上させることができる。
【００３４】
なお、本発明は、説明した上記実施形態に限定されることなく、種々の態様で実施することができる。また、実施形態で示したアクション１、ウィッペン４、レペティションレバー５、ジャック６及びジャック角度位置調整機構２０の細部の構成などは、あくまで例示であり、本発明の趣旨の範囲内で適宜、変更することができる。
【符号の説明】
【００３５】
１    アクション
２    鍵
３    ハンマー
４    ウィッペン
５    レペティションレバー
６    ジャック
６ｂ  ハンマー突上げ部
６ｄ  操作孔
２０    ジャック角度位置調整機構
２４    支持部
２４ａ  延設部
２４ｂ  調整スクリュー係合部
２５    調整スクリュー
２５ａ  操作部
２６    ジャックボタン（当接部）
２６ａ  ボタン本体部
２６ｂ  クッション部
３１    ハンマーシャンク
３２    ハンマーヘッド
３３    シャンクローラ
Ｓ    弦
Ｔ    工具
【図１】
2019174593.tif 000003
【図２】
2019174593.tif 000004
【図３】
2019174593.tif 000005
【図４】
2019174593.tif 000006